(57)【要約】【課題】  熱変色インクの筆跡を変色可能な摩擦部材を備える、衛生に優れた熱変色筆記具を提供する。【解決手段】  外面の部材に抗菌剤を含有し抗菌性を有する材料としたために付着した菌が広がらず衛生的であり、医師、看護婦などの医療業務の従事者、患者が使用する熱変色筆記具として好適である。そのため、病院内の感染防止対策の有効な手段となる。【選択図】  図１
2016083779.tif 000002
【特許請求の範囲】
【請求項１】
天然ゴムや合成ゴム又は樹脂を主材とした基材中に抗菌剤を含有している外面の部材からなる熱変色筆記具。
【請求項２】
天然ゴムや合成ゴム又は樹脂を主材とした基材中に抗菌剤を含有してなる熱変色インクを変色可能な摩擦部材を備えたことを特徴とする請求項１記載の熱変色筆記具。
【請求項３】
抗菌剤を含有するインクであることを特徴とする請求項１又は２記載の熱変色筆記具。
【請求項４】
摩擦部材が交換可能である請求項１〜３いずれか１項記載の熱変色筆記具。
【請求項５】
天然ゴムや合成ゴム又は樹脂を主材とした基材中に抗菌剤を含有してなる熱変色インクを変色可能な摩擦部材。
【発明の詳細な説明】
【技術分野】
【０００１】
本発明は、病院等で使用可能な熱変色筆記具及び摩擦部材に関する。
【背景技術】
【０００２】
従来より、摩擦熱等によって筆跡の変色が可能な熱変色インクを収容した熱変色筆記具が開示されている（特許文献１）。この熱変色筆記具は一般的には消せる筆記具として認知されており、病院内でのカルテへの記入で使う例が開示されている（特許文献２）。
【先行技術文献】
【特許文献】
【０００３】
【特許文献１】特開２００７−２２３３０２
【特許文献２】日本透析医学会雑誌  第42巻  Supplement
【発明の概要】
【発明が解決しようとする課題】
【０００４】
ところで、病院内等での医療現場においては、有害な菌が浮遊している環境に晒されやすいが、筆記具においては、洗浄もしくは消毒などをせず放置され、衛生面の配慮がまったくなされないままに使用しているのが現状である。医療器具などは洗浄、消毒などの処置がとられるが、そのことに比べると、常に手に触れる筆記具は衛生面の配慮が欠けていることは重大な問題である。近年、社会問題とされている病院内感染防止対策、衛生管理などの見地から各種製品の衛生上の安全性が重要であり、消せる筆記具としての使い易さだけでなく、衛生面の安全性の配慮が必要である。特に熱変色インクを変色する摩擦部材はゴム、エラストマー材料が好適であるが、表面に汚れ、菌等が付着しやすい。そこで本発明は上記の問題点を解決するためのものであり、病院内感染対策など衛生上の安全性を考慮した抗菌性、抗カビ性、防ダニ性を付与した熱変色筆記具を提供することを目的とするものである。
【課題を解決するための手段】
【０００５】
本発明は、鋭意開発の末、以下の発明を実現するに至った。
【０００６】
天然ゴムや合成ゴム又は樹脂を主材とした基材中に抗菌剤を含有している外面の部材からなる熱変色筆記具である。又は天然ゴムや合成ゴム又は樹脂を主材とした基材中に抗菌剤を含有してなる熱変色インクを変色可能な摩擦部材及び摩擦部材を備えた熱変色筆記具である。外面の部材とは、本発明の筆記・塗布用具に用いる抗菌剤を含有する部材としては、外気と接触する外面に晒される軸筒、キャップ、ペン先ホルダー、押しボタン、摩擦部材、各部材に表面加工されるインク印刷、転写フィルムなどである。また、外面の形状は凹凸、溝部分のないものが黴菌の繁殖拡大を防ぐために好ましい。なお、抗菌効果は抗菌製品協議会が定めるガイドラインを満たしたものであることが好ましい。
【０００７】
また、抗菌剤を含有するインクであることが好適である。インクに抗菌剤を含有することで筆記した際の筆跡も抗菌性を有するため、病院内での使用に効果的である。
【０００８】
また、摩擦部材が交換可能であることが好適である。特にゴム、エラストマー材料などの合成ゴムからなるゴム弾性材料で形成される部材、特にグリップ部材や摩擦部材は汚れが付着しやすいため、筆記具から取り外して交換可能とすることが好ましい。
【発明の効果】
【０００９】
本発明により、抗菌性を有する材料としたために付着した菌が広がらず衛生的であり、医師、看護婦などの医療業務の従事者、患者が使用する熱変色筆記具として好適であるので、病院内の感染防止対策の有効な手段となる。
【図面の簡単な説明】
【００１０】
【図１】本発明の第１の実施形態に係る筆記具を示す側面図である。
【図２】前記実施形態に係る筆記具を示す縦断面図である。
【図３】本発明の第２の実施形態に係る筆記具を示す縦断面図である。
【図４】本発明の第３の実施形態に係る筆記具の（Ａ）正面図及び（Ｂ）部分断面図である。
【図５】前記実施形態に係る摩擦部材の（Ａ）正面図及び（Ｂ）底面図である。
【図６】図４のＡ部の拡大図である。
【図７】前記実施形態に係る摩擦部材を取り外す際の状態を示す図である。
【発明を実施するための形態】
【００１１】
以下に、本発明を実施するための形態について、図面に基づいて説明する。図１〜図２は、第１の実施形態を示すものである。図１は、本実施形態に係る筆記具を示す側面図、図２は、本実施形態に係る筆記具を示す断面図である。本実施形態に係る筆記具は、図１及び図２に示すように、軸筒１に内蔵された筆記体２が軸方向に移動可能に保持され、その後端部分に設けられた押しボタン３を押圧すると、内蔵された筆記体２のボールペン先２Ａが内部から繰り出されるノック式のボールペンである。
【００１２】
すなわち、筆記具には、筆記体２及び押しボタン３に加えて、筆記体２を内部に収納する筒状に形成された軸筒１と、軸筒１の一端側である先端部分に螺合している略円錐状の口先部材４と、軸筒１の先端部分における使用者の把持しやすい部分に配置された筒状のグリップ部材５とが設けられている。軸筒１は、使用者の衣服に設けられたポケットに差し込まれた際に、ポケットの布地を挟持するためのクリップ６が、その後端部分に一体化されたものとなっている。このような軸筒１の後端部分の内部には、図２に示すように、筆記体２のボールペン先２Ａを突没させる出没機構７が収納されている。出没機構７は、押しボタン３の押圧操作により、筆記体２のボールペン先２Ａが繰り出されると、再度、押しボタン３の押圧操作が行われるまで、この繰り出し状態を維持するものである。また、出没機構７は、繰り出し状態において押しボタン３が押圧されると、筆記体２のボールペン先２Ａを後退させて、軸筒１の内部に引き込ませるものでもある。
【００１３】
なお、このような出没機構７は、筆記体２を後端側へ付勢するコイルスプリング７Ａ、このコイルスプリング７Ａによって後端側へ付勢される回転カム（図示せず）、後軸の内壁に形成したカム溝（図示せず）等を有するものとなっている。軸筒１は、図２に示すように、後端側の部位である軸後部１Ａよりも外径が小さく縮径された縮径部１Ｂが先端部分に形成されたものである。そして、この縮径部１Ｂに、熱可塑性エラストマー等の内室部材からなるとともに、後端側の端面が傾斜した筒状のグリップ部材５が、軸筒１の先端側から嵌め込まれるようになっている。ここで、縮径部１Ｂは、二段階に縮径されたものであり、後端側の第１縮径部１Ｂａよりも先端側の第２縮径部１Ｂｂのほうが細く形成されている。
【００１４】
このうち、第２縮径部１Ｂｂの先端近傍の部分は、外周面にネジ溝が形成された雄ネジとしての軸筒側ネジ部となっている。一方、口先部材４は、底面が開口され、その内周面にネジ溝が形成されたものとなっている。これにより、口先部材４には、第２縮径部１Ｂｂ側の軸筒側ネジ部と螺合する雌ネジとしての口先側ネジ部が形成されている。そして、口先部材４は、第２縮径部１Ｂｂ側の軸筒側ネジ部に、口先側ネジ部を螺合させることにより、軸筒１に取り付けられている。このように二段階に縮径された縮径部１Ｂにより、軸筒１には、軸後部１Ａ及び第１縮径部１Ｂａの境界部分、並びに、第１縮径部１Ｂａ及び第２縮径部１Ｂｂの境界部分のそれぞれにおいて段差を形成する段差面が形成されている。
【００１５】
筆記体２内部には熱変色インクが収容されている。熱変色インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具では上記第２色を無色とし、第１色（例えば赤）で筆記した描線を昇温させて無色とすることを、ここでは「消去する」ということとする。したがって、描線が筆記された筆記面等に対して消去部としての摩擦部材によって擦過して摩擦熱を生じさせ、それによって描線を無色に変化、すなわち消去させる。なお、当然のことながら上記第２色は、無色以外の有色でもよい。さらに具体的な詳細を説明するとインクに含まれる色材は、（Ａ）電子供与性呈色性有機化合物、（Ｂ）電子受容性化合物、及び（Ｃ）両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。可逆熱変色性マイクロカプセル顔料は、粒子径の平均値が０．１〜５．０μｍ、好ましくは０．５〜２μｍの範囲にあることが好ましい。可逆熱変色性マイクロカプセル顔料は、インク組成物全量に対し、好ましくは４〜３０重量％配合することが好ましい。なお、平均粒子径の測定は、粒度分布測定装置〔粒子径測定器Ｎ４Ｐｌｕｓ（ＣＯＵＬＴＥＲ社製）〕を用いる。また、筆記部は、ボールペン先２Ａのみならず、他にもシャープペン、万年筆、マーカー、サインペン、鉛筆、筆、筆ペン、などを用いることができる。
【００１６】
筆記具の外面の部材である押しボタン３、口先部材４、グリップ部材５、クリップ６、軸筒１には抗菌剤が含まれている。本発明の抗菌剤を含む基材に使用する主要な材料としては、スチレン樹脂、アクリル樹脂、ポリ塩化ビニル、ポリエチレン、ポリプロピレン、クロロスルホン化ポリエチレン、ＡＢＳ樹脂、ポリカーボネート、ポリアミド、ポリエステル、ポリエチレンテレフタレート、ポリアセタール、フェノール樹脂、尿素樹脂、天然ゴム、合成ゴムなどの合成樹脂類、紙類、木材、金属などがあげられる。通常、合成樹脂類は着色剤、充填剤、安定剤、可塑剤などの助剤とともに用いられる。例えば、オートクレーブ滅菌（１２０〜１３０℃）処理の可能な樹脂材料としては、〔“ウルテム”ＧＥ社製〕などのポリエーテルイミド（ＰＥＩ）；〔“スミカエクセル”住友化学製〕、〔“ウルトラゾーン”ＢＡＳＦ社製〕、〔“レーデル”ＡＭＯＣＯ社製〕などのポリエーテルサルホン（ＰＥＳ）；〔“ユーデル”ＡＭＯＣＯ社製〕などのポリサルホン（ＰＳＦ）；〔“ビクトレックス”ビクトレックス社製〕、〔“ＰＥＥＫ”三井東圧(株)製〕などのポリエーテルエーテルケトン（ＰＥＥＫ）；〔“ＰＰＳ”東レ(株)製〕などのポリフェニレンスルフィド（ＰＰＳ）などが示される。
【００１７】
本発明に用いる抗菌剤としては、２−（４−チアゾリル）ベンツイミダゾール、２−ベンツイミダゾール酸カルバミンメチル、１−（ブチルカルバモイル）２−ベンツイミダゾールカルバミン酸メチル、２−（メトキシカルボニルアミノ）ベンツイミダゾール、２−（ベンツイミダゾール）カルバミン酸メチルなどのイミダゾール系、１，２−ベンツイソチアゾリン−３−オン、２−ｎ−オクチル−４−イソチアゾリン−３−オン、２−（４−チオシアノメチルチオ）ベンツチアゾール、５−クロロ−２−メチル−４−イソチアゾリン−３−オンなどのチアゾール系、３−ヨード−２−プロパギルブチルカルバミン酸、４−クロロフェニル−３−ヨードプロパギルホルマール、ジヨードメチル−ｐ−トリルスルホン、３−エトキシカルボニルオキシ−１−ブロム−１，２−ジヨード−１−プロペンなどのヨード系、２，３，５，６−テトラクロロイソフタロニトリル、５−クロロ−２，４，６−トリフルオロイソフタロニトリルなどのニトリル系、ｐ−クロロ−ｍ−クレゾール、２，４，４′−トリクロロ−２′−ヒドロキシジフェニルエーテルなどのフェノール系、Ｎ−（フルオロジクロロメチルチオ）フタルイミド、Ｎ，Ｎ−ジメチル−Ｎ′−（ジクロロフルオロメチルチオ）−Ｎ′−フェニルスルファミド、Ｎ，Ｎ−ジメチル−Ｎ′−（ジクロロフルオロメチルチオ）−Ｎ′−トリルスルファミド、Ｎ−（トリクロルメチルチオ）フタルイミド、テトラクロルエチルチオテトラヒドロフタルイミド、Ｎ−トリクロルメチルチオ−４−シクロヘキセン−１，２−ジカルボキシイミドなどのハロアルキルチオ系、２−ピリジンチオール−１−オキシドナトリウム、２−ピリジンチオール−１−オキシド亜鉛、２，３，５，６−テトラクロロ−４−（メチルスルホニル）ピリジンなどのピリジン系、ヘキサヒドロ−１，３，５−トリス（２−ヒドロキシエチル）Ｓ−トリアジン、ヘキサヒドロ−１，３，５−トリエチル−Ｓ−トリアジンなどのトリアジン系、２−プロモ−２−ニトロ−１，３−プロパンジオール、１，２−ジブロモ−２，４−ジシアノブタンなどのブロム系、銀−ゼオライト、亜鉛ゼオライト、銀−アパタイト、リン酸ジルコニウム−銀、チタニア−銀、水溶性ガラス−銀、リン酸カルシウム−銀、ゼオライト−銅、ゼオライト−亜鉛、酸化亜鉛、酸化マグネシウム、アモルファス銅、過炭酸ナトリウム、次亜塩素酸ナトリウム、メタホウ酸バリウムなどの無機系、トリクロルカルバンなどのハロジアリル尿素系、グルコン酸クロロヘキサジン、グルコン酸クロロヘキサジン＋シクロピロクスオラミン、ポリヘキサメチレンピグアニジン塩酸塩などのグアニジン系、プロピルグリコールモノ脂肪酸エステル、グリセリン脂肪酸エステルなどの脂肪酸エステル系、セルロース銅、銅架橋アクリロニトリル・アクリル酸コポリマー、金属酸化物配位アミノケイ素系ポリマー、亜鉛配位アクリル酸ポリマーなどのポリマー配位金属系、その他10，10'−オキシビスフェノキシアルシン、８−オキシキノリン銅、メチレンヒスチオシアネート、ビス（ジメチルジチオカルバモイル）ジスルフィド、１−（３−クロルアリル）−３，５，７−トリアザ−１−アゾニアアダマンタンクロリド、３，５−ジメチルテトラヒドロ−１，３���５−チアジアジン−２−チオン、ジメチルジチオカルバミン酸亜鉛、４，４’−（２−エチルー２−ニトロトリメチレン）ジモルホリン、レバン分解酵素剤、Ｎ−（２−ヒドロキシプロピル）アミノメタノール、２−（メトキシカルボニルアミノ）ベンツイミダゾール＋８−オキシキノリン銅、５−（クロル−２−メチル−４−イソチアゾリン−３−オン＋１，２−ベンツイソチアゾリン−３−オンなどをあげることができる。また、市販品としては、ポリアルファーＢＮ，ＺＡＧ，ＡＧ，ＤＮ〔濤和化学(株)製〕、アムテクリーンＺ  ＭＫ−１０，ＭＫ−１１，ＭＫ−２０，ＭＫ−３０〔松下アムテック(株)製〕などがあげられる。また、ダイキラー〔大日精化工業(株)製〕のＰＥＭ７０１，ＰＥＭ７０２，ＰＥＭ７０３，ＡＢＭ５０１，ＰＳＭ４０１などのマスターバッチ製品などから選択される。
【００１８】
本発明の筆記具の外面の部材に抗菌剤を含有させる方法としては、金属、木材には抗菌剤を含む塗装材を塗装加工するが、上記の合成樹脂とそれに必要な助剤に抗菌剤を混入し、射出、押し出しなどで成形加工するのが好ましい。また、外面の部材には凹凸部、角には丸み面加工いわゆるＲ加工を施し、部材の組合せは溝、すき間などの生じないようにするのがよい。
【００１９】
合成樹脂に抗菌剤を混入する場合に、成形後の抗菌剤の効果をあげるためにつぎのような方法がある。
１、成形時にワックスを添加するか、ワックスと抗菌剤とが予め混入されたマスターバッチを用いる方法。
２、抗菌剤の分散を良くするために、ステアリン酸亜鉛、ステアリン酸マグネシウム、ステアリン酸リチウム
などの添加物を加える方法。たとえば、抗菌剤とステアリン酸亜鉛とを７：３〜８：２で混合かくはん溶解する、すなわち、抗菌剤を１２０〜１８０℃に加熱溶融後ステアリン酸金属塩を添加して得られた抗菌剤と添加物の混合物は、ポリオレフィン、塩ビ、Ａ．Ｂ．Ｓなどの樹脂に１〜２％添加し、約１０分ニーダーで混合する。
３、界面活性剤を添加する方法。
４、親水性ポリマーを添加する方法。この方法は成形品の表面が湿気をおびてくるので抗菌剤の効果が増大する。
【００２０】
本発明の筆記・塗布用具の部材に含有する抗菌剤の量は、抗菌剤の種類、該部材の種類それに使用する材料の種類により異なり、特に限定する必要はないが、部材中、通常０．００１〜３０％含有する。
【００２１】
また、リフィル内のインクである熱変色インクにも抗菌剤を含有させることで、筆跡にも抗菌効果を付与させることができるので好ましい。
【００２２】
抗菌の基準として、抗菌製品協議会が定めるガイドラインを満たす、ＪＩＳ  Ｚ２８０１に基づく抗菌加工製品−抗菌性試験を行い、抗菌活性値２．０以上であることが好ましい。
【００２３】
なお、押しボタン３を熱変色インクの変色が容易な摩擦部材としても機能させてもよい。
【００２４】
図３は、本発明における第２の実施形態の筆記具の縦断面図である。図３（Ａ）は、熱変色インクを収容した筆記体２のボールペン先２Ａを突出させ、摩擦部材８を軸筒１から外した状態、図３（Ｂ）は、熱変色芯を繰り出すシャープペンシル筆記部２Ｂを突出させた状態を示す。本実施形態は、軸筒１の後方端には摩擦部材８を備えた複式の回転繰り出し式の熱変色筆記具である。熱変色インクの変色可能な摩擦部材８は、硬度の異なる二種類の摩擦部８ａ、８ｂからなり二色成形、接着等により一体に構成され、摩擦部材ホルダ４７に対して着脱可能となっている。着脱可能とすることで筆記具に装着されたままの使用や、取り外しての使用と使用環境に応じて使い分けることが可能である。なお、摩擦部材ホルダ４７において、摩擦部８ｂと嵌合する内面には、軸方向に複数のリブが形成（図示せず）されており、筆記具の後端側を鉛直下方に向けても摩擦部材８が脱落しないようになっている。本実施形態は摩擦部材８を筆記具に備えることによって、手軽に筆跡を変色、消色させることができる。
【００２５】
筆記体の選択動作として、軸筒１に対してクリップ６を回転すると円筒カム４２の回転に伴うカム駒４４が摺動し、何れかの筆記体２を選択してその筆記体２の先端部を口先部材４の先端口から突出させることが可能となる。また、選択された筆記体がシャープペンシル筆記部２Ｂの場合には、口先部材４の先端口から突出させて後に摩擦部材８の後端をノックして芯を繰り出す。
【００２６】
第２の実施形態では、筆記具の外面の部材である軸筒１、口先部材４、グリップ部材５、軸筒１、口先部材４、グリップ部材５、クリップ６、摩擦部材ホルダ４７、摩擦部材８に抗菌剤が含まれている。
【００２７】
図４〜７は本発明における第３の実施形態であり、図４（Ａ）はリフィル収納品の正面図、図４（Ｂ）はリフィル収納品の部分断面図、図５（Ａ）は摩擦部材の正面図、図５（Ｂ）は摩擦部材の底面図、図６は図４のＡ部の拡大図、図７は摩擦部材を取り外した状態を示す図である。第３の実施形態は、第１の実施形態及び第２の実施形態の筆記体２を収容するリフィル収納品となっている。
【００２８】
図４（Ａ）、図４（Ｂ）を参照すると、リフィル収納品は筒状に形成されたリフィル収納容器９と、リフィル収納容器９内に収納された１本の筆記体２とから構成される。なお、リフィル収納容器９内に複数本の筆記体２を収納するようにしてもよい。
【００２９】
リフィル収納容器９は樹脂から形成されるが、水蒸気バリア性を有する材料、例えばポリプロピレンが好ましい。リフィル収納容器９の頂部側の開口部９Ａを開閉する摩擦部材８が装着されている。なお、リフィル収納容器９の底部側の開口部９Ｂ内には尾栓１０が封密に嵌合されている。
【００３０】
一方、筆記体２はインクタンク２Ｃと、インクタンク２Ｃの先端に取り付けられたボールペン先２Ａとを具備する。本発明による実施形態では、ボールペン先２Ａが上向きに又は摩擦部材８に向けて位置するように筆記体２がリフィル収納容器９内に収納されている。
【００３１】
このリフィル収納品では、開口部９Ａが摩擦部材８によって封密に閉鎖されている。その結果、リフィル収納容器９が密閉されるので、筆記体２がリフィル収納容器９内に保存されている間に筆記体２の熱変色インクが劣化するのを確実に抑制することができ、筆記体２の品質低下を確実に抑制することができる。また、リフィル収納容器９を透過性の無い材料や外装とすることで、劣化をより確実に抑制することができる。
【００３２】
また、図４（Ｂ）からわかるように、リフィル収納容器９の内径は筆記体２の外径よりもわずかばかり大きく設定されている。このようにすると、リフィル収納容器９内に残存する空気量を低減することができ、したがって熱変色インクの劣化を確実に抑制することができる。
【００３３】
次に、図５（Ａ），（Ｂ）を参照しながら摩擦部材８を説明する。
【００３４】
キャップである摩擦部材８は互いに同心状に配置された内筒１１及び外筒１２と、これら内筒１１及び外筒１２を互いに連結するリブ１３とを具備し、内筒１１と外筒１２との間には通気孔１４が形成されている。通気孔１４は径方向に複数設けることによって、誤飲時の通気量の確保と、筆跡を摩擦する際の径方向の応力によって撓むことを防ぐことができる。
【００３５】
図５（Ａ）に示されるように、内筒１１の底端側部分は外筒１２から突出しており、この底端側部分はリフィル収納容器９の開口部９Ａ内に嵌合される嵌合部１５を構成する。
【００３６】
この嵌合部１５の外周面には例えば２つの環状シール突起１６が形成されている。
【００３７】
また、嵌合部１５には下方に向けて開口する受容孔１７が形成されており、この受容孔１７はリフィル収納容器９内に収納されている筆記体２を保持するための保持部を構成する。そのために、受容孔１７の内径は筆記体２のボールペン先２Ａの外径よりもわずかばかり小さく設定されている。
【００３８】
更に、受容孔１７の内周面には切欠きから形成される逃がし通路１８が形成されている。
【００３９】
更に、外筒１２又はリブ１３の平坦な底端面は規制面１９を構成している。すなわち、嵌合部１５が開口部９Ａ内に嵌合されたときにこの規制面１９が開口部９Ａの頂端面２０に当接すると嵌合部１５の開口部９Ａ内への進入が規制される。
【００４０】
なお、図６において、シール被覆２Ａａを示している。このシール被覆２Ａａは筆記体２のボールペン先２Ａの先端を保護すると共に、ボールペン先２Ａを介し筆記体２内に空気等が流入し又は熱変色インク内の水分等が揮発するのを抑制するためのものである。
【００４１】
図６は図４（Ｂ）のＡ部の拡大図を示している。
【００４２】
図６に示される閉鎖状態では、摩擦部材８の嵌合部１５がリフィル収納容器９の開口部９Ａ内に嵌合されており、それによりリフィル収納容器９の開口部９Ａが閉鎖される。この場合、嵌合部１５の外周面に環状シール突起１６が形成されているので、嵌合部１５と開口部９Ａとの間に環状シール２１が形成され、したがって嵌合部１５が開口部９Ａ内に封密に嵌合されることになる。なお、環状シール突起１６をリフィル収納容器９の内周面に形成してもよい。
【００４３】
また、筆記体２のボールペン先２Ａの先端が受容孔１７内に嵌合されており、したがって筆記体２が摩擦部材８によって保持されている。その結果、筆記体２がリフィル収納容器９内で移動するのが抑制され、例えば振動により筆記体２の破損や筆記具に装着時の筆記時のカスレの発生が抑制される。また、本発明による実施形態では、図１に示されるように、筆記体２がリフィル収納容器９内に収納されているときに筆記体２の底端が尾栓１０の頂端面に当接している。したがって、筆記体２の移動が更に制限される。
【００４４】
筆記体２をリフィル収納容器９から取り出すべきときには、ユーザは摩擦部材８の外筒１２を摘んで摩擦部材８をリフィル収納容器９から取り外す。このとき筆記体２は摩擦部材８によって保持されたままであるので、図７に示されるように摩擦部材８と共に移動してリフィル収納容器９外に取り出される。その結果、筆記体２を簡単に取り出すことができる。
【００４５】
また、筆記体２が摩擦部材８に保持されたままであるので、リフィル収納容器９から取り出した筆記体２を落下させることもない。すなわち、筆記体２の取り扱いが容易になる。その後、筆記体２を第１の実施形態や第２の実施形態の筆記具に収容して筆記することができる。
【００４６】
リフィル収納品は例えば次のようにして製造される。すなわち、まずリフィル収納容器９のリフィル収納容器９内にインクタンク２Ｃ側から筆記体２が収納される。次いで、摩擦部材８の規制面１９が開口部９Ａの頂端面２０に当接するまで摩擦部材８がリフィル収納容器９の開口部９Ａに嵌合される。
【００４７】
本発明による実施形態では、規制面１９が開口部９Ａの頂端面２０に当接したときにボールペン先２Ａが受容孔１７内に嵌合されて保持されるように規制面１９が位置決めされており、したがって摩擦部材８を開口部９Ａに嵌合させるだけで、筆記体２を摩擦部材８に保持させることができる。
【００４８】
また、第３の実施形態では、受容孔１７に逃がし通路１８が形成されているので、筆記体２内に空気が入り込むのを抑制することができる。すなわち、逃がし通路１８が設けられていないと、ボールペン先２Ａが受容孔１７内に嵌合されたときに受容孔１７内が密閉空間になってこの密閉空間内の圧力が高くなるので、空気がボールペン先２Ａから筆記体２内に入り込むおそれがある。本発明による実施形態では、逃がし通路１８が形成されているので、ボールペン先２Ａが受容孔１７内に嵌合されるときに受容孔１７内の空気を受容孔１７外に逃がすことができる。その結果、筆記体２の品質低下を抑制することができる。
【００４９】
ところで、図６に示されるように、ボールペン先２Ａに当接して筆記体２を保持している受容孔１７の領域を保持領域２２と称すると、環状シール２１の長手方向位置と保持領域２２の長手方向位置とは互いに異なっている。このようにしているのは次の理由による。
【００５０】
すなわち、ボールペン先２Ａが受容孔１７内に嵌合されると、保持領域２２では嵌合部１５が変形するおそれがある。特に、本発明による実施形態では、受容孔１７に逃がし通路１８が形成されているので、受容孔１７内周面はボールペン先２Ａに周方向に一様に当接しておらず、したがって嵌合部１５の変形は周方向に一様になるとは限らない。このため、このような保持領域２２の長手方向位置を環状シールの長手方向位置に一致させると、良好なシール作用を得ることができないおそれがある。そこで、本発明による実施形態では、環状シール２１の長手方向位置と保持領域２２の長手方向位置とは互いに異ならせ、それによって良好なシール作用が得られるようにしている。
【００５１】
また、第３の実施形態では、リフィル収納容器９の外径と摩擦部材８の外径とがほぼ等しく設定されており、摩擦部材８がリフィル収納容器９に取り付けられたときにリフィル収納容器９の外周面と摩擦部材８の外周面とが面一になっている。その結果、リフィル収納容器９及び摩擦部材８周りにシールラベルを貼り付ける場合に、シールラベルを貼り付け易くなり、シールラベルによるシール作用を確保することができる。
【００５２】
図７では、筆記体２の頂端すなわちボールペン先２Ａが摩擦部材８に保持されるようにしている。しかしながら、筆記体２の底端すなわちインクタンク２Ｃが摩擦部材８に保持されるようにしてもよい。
【００５３】
第３の実施形態では、リフィル収納容器９と摩擦部材８と尾栓１０に抗菌剤が含まれている。なお、尾栓１０をリフィル収納容器９と一体にして摩擦部材と同一の材料として形成してもよい。また、本実施形態の筆記体のペン先はボールペン先だけでなく、他にもシャープペン、万年筆、マーカー、サインペン、鉛筆、筆、筆ペン、などを用いることができる。
【符号の説明】
【００５４】
１  軸筒 
１Ａ  軸後部
１Ｂ  縮径部 
１Ｂａ  第１縮径部
１Ｂｂ  第２縮径部
２  筆記体
２Ａ  ボールペン先
２Ａａ  シール被覆
２Ｂ  シャープペンシル筆記部
２Ｃ  インクタンク
３  押しボタン
４  口先部材
５  グリップ部材
６  クリップ
７  出没機構
８  摩擦部材
９  リフィル収納容器
９Ａ  頂端側の開口部（開口部）
９Ｂ  底部側の開口部
１０  尾栓
１１  内筒
１２  外筒
１３  リブ
１４  通気孔
１５  嵌合部
１６  環状シール突起
１７  受容孔
１８  逃がし通路
１９  規制面
２０  開口部の頂端面（頂端面）
２１  環状シール
２２  保持領域
４２  円筒カム
４４  カム駒
４７  摩擦部材ホルダ
【図１】
2016083779.tif 000003
【図２】
2016083779.tif 000004
【図３】
2016083779.tif 000005
【図４】
2016083779.tif 000006
【図５】
2016083779.tif 000007
【図６】
2016083779.tif 000008
【図７】
2016083779.tif 000009